【手続補正書】
【提出日】平成20年8月22日(2008.8.22)
【手続補正１】
【補正対象書類名】特許請求の範囲
【補正対象項目名】全文
【補正方法】変更
【補正の内容】
【特許請求の範囲】
【請求項１】
光源手段と、前記光源手段から出射した光束が入射する光偏向器と、前記光偏向器に入射する光束の主走査方向の幅が前記光偏向器の偏向面の主走査方向の幅より広い状態で入射させる入射光学系と、前記光偏向器で偏向された光束を被走査面上に結像させる結像光学系と、を有する光走査装置において、
前記被走査面上の最大像高に入射する光束が前記入射光学系を通過する際に発生する前記光束のマージナル光線と前記光束の主光線との主走査方向の波面収差の位相差の方向を第一方向とし、
前記被走査面上の最大像高に入射する光束が前記結像光学系を通過する際に発生する前記光束のマージナル光線と前記光束の主光線との主走査方向の波面収差の位相差の方向を第二方向とした場合、
前記第一方向と前記第二方向とが逆方向となるように、前記結像光学系に主走査断面内において少なくとも１面が非円弧形状の光学面を設けられており、
前記最大の像高に到達する光束が通過する前記入射光学系に設けられた主走査断面内で円弧形状の光学面のうち該円弧形状の光学面上で最も主走査方向の光束幅が広い値をＷ１、前記最大の像高に到達する光束が通過する該結像光学系に設けられた主走査断面内で非円弧形状の光学面のうち前記非円弧形状の光学面上で最も主走査方向の光束幅が広い値をＷ２、とするとき、
Ｗ２／Ｗ１≧１．８
を満たすことを特徴とする光走査装置。
【請求項２】
光源手段と、前記光源手段から出射した光束が入射する光偏向器と、前記光偏向器に入射する光束の主走査方向の幅が前記光偏向器の偏向面の主走査方向の幅より広い状態で入射させる入射光学系と、前記光偏向器で偏向された光束を被走査面上に結像させる結像光学系と、を有する光走査装置において、
前記被走査面上の最大像高に入射する光束が前記入射光学系を通過する際に発生する前記光束のマージナル光線と前記光束の主光線との主走査方向の波面収差の位相差の方向を第一方向とし、
前記被走査面上の最大像高に入射する光束が前記結像光学系を通過する際に発生する前記光束のマージナル光線と前記光束の主光線との主走査方向の波面収差の位相差の方向を第二方向とした場合、
前記第一方向と前記第二方向とが逆方向となるように、前記入射光学系に主走査断面内において少なくとも１面が非円弧形状の光学面を設けられており、
前記最大の像高に到達する光束が通過する前記入射光学系に設けられた主走査断面内で非円弧形状の光学面のうち該非円弧形状の光学面上で最も主走査方向の光束幅が広い値をＷ３、前記最大の像高に到達する光束が通過する前記結像光学系に設けられた光学面のうち前記光学面上で最も主走査方向の光束幅が広い値をＷ４、とするとき、
Ｗ３／Ｗ４≧１．８
を満たすことを特徴とする光走査装置。
【請求項３】
光源手段と、前記光源手段から出射した光束が入射する光偏向器と、前記光偏向器に入射する光束の主走査方向の幅が前記光偏向器の偏向面の主走査方向の幅より広い状態で入射させる入射光学系と、前記光偏向器で偏向された光束を被走査面上に結像させる結像光学系と、を有する光走査装置において、
前記被走査面上の最大像高に入射する光束が前記入射光学系を通過する際に発生する前記光束のマージナル光線と前記光束の主光線との主走査方向の波面収差の位相差の方向を第一方向とし、
前記被走査面上の最大像高に入射する光束が前記結像光学系を通過する際に発生する前記光束のマージナル光線と前記光束の主光線との主走査方向の波面収差の位相差の方向を第二方向とした場合、
前記第一方向と前記第二方向とが逆方向となるように、前記入射光学系及び前記結像光学系のうち少なくとも１つの光学系内に主走査断面内において少なくとも１面が非円弧形状の光学面を設けられており、
前記入射光学系はｍ個（ｍ≧１）の光学面を有しており、前記結像光学系はｐ個（ｐ≧１）の光学面を有しており、前記入射光学系内に設けられた光学面を前記光源手段側から順に第１面から第ｍ面とし、前記結像光学系に設けられた光学面を前記光偏向器側から順に第ｍ＋１面から第ｐ＋ｍ＋１面とする場合、
以下の条件式を満たすことを特徴とする光走査装置。
【数１】
2006113552.tif 000001
但し、
Ｂ／Ａ＜０
Ｕｉ：前記光学面が透過面の場合、前記光学面が入射面の場合、Ｕｉ＝−１、前記光学面が出射面の場合、Ｕｉ＝＋１となり、前記光学面が反射面の場合、Ｕｉ＝＋１となる係数
ｎｉ：前記光学面が透過面の場合、ｎｉは硝材の屈折率となり、前記光学面が反射面の場合、ｎｉ＝２となる係数
ａｉ：主走査断面において、最大像高に到達する光束の前記光学面の端部側のマージナル光線が第ｉ面を通過する位置での光学面の光軸に対する面の傾きｄＸ／ｄＹ
ｂｉ：主走査断面において、最大像高に到達する光束の主光線が第ｉ面を通過する位置での光学面の光軸に対する面の傾きｄＸ／ｄＹ
ｃｉ：主走査断面において、最大像高に到達する光束の該光学面の光軸側のマージナル光線が第ｉ面を通過する位置での光学面の光軸に対する面の傾きｄＸ／ｄＹ
ｆ：前記結像光学系の焦点距離（ｍｍ）
ρｍ：前記被走査面上での結像スポットの主走査方向のスポット径（ｍｍ）
【請求項４】
前記被走査面上の最大像高に入射する光束が前記入射光学系を通過する際に発生する前記光束内の主走査方向の波面収差の位相形状は、前記光束の主光線を中心として非対称形状であることを特徴とする請求項１乃至３の何れか一項に記載の光走査装置。
【請求項５】
前記被走査面上の最大像高に入射する光束が前記結像光学系を通過する際に発生する前記光束内の主走査方向の波面収差の位相形状は、前記光束の主光線を中心として非対称形状であることを特徴とする請求項１乃至４の何れか一項に記載の光走査装置。
【請求項６】
請求項１乃至５の何れか一項に記載の光走査装置と、前記被走査面に配置された感光体と、前記光走査装置で走査された光ビームによって前記感光体上に形成された静電潜像をトナー像として現像する現像器と、現像されたトナー像を被転写材に転写する転写器と、転写されたトナー像を被転写材に定着させる定着器とを有することを特徴とする画像形成装置。
【請求項７】
請求項１乃至５の何れか一項に記載の光走査装置と、外部機器から入力したコードデータを画像信号に変換して前記光走査装置に入力せしめるプリンタコントローラとを有していることを特徴とする画像形成装置。
【手続補正２】
【補正対象書類名】明細書
【補正対象項目名】００５０
【補正方法】変更
【補正の内容】
【００５０】
そこで、本発明では、光源手段と、前記光源手段から出射した光束が入射する光偏向器と、前記光偏向器に入射する光束の主走査方向の幅が前記光偏向器の偏向面の主走査方向の幅より広い状態で入射させる入射光学系と、前記光偏向器で偏向された光束を被走査面上に結像させる結像光学系と、を有する光走査装置において、
前記被走査面上の最大像高に入射する光束が前記入射光学系を通過する際に発生する前記光束のマージナル光線と前記光束の主光線との主走査方向の波面収差の位相差の方向を第一方向とし、
前記被走査面上の最大像高に入射する光束が前記結像光学系を通過する際に発生する前記光束のマージナル光線と前記光束の主光線との主走査方向の波面収差の位相差の方向を第二方向とした場合、
前記第一方向と前記第二方向とが逆方向となるように、前記結像光学系に主走査断面内において少なくとも１面が非円弧形状の光学面を設けられており、
前記最大の像高に到達する光束が通過する前記入射光学系に設けられた主走査断面内で円弧形状の光学面のうち該円弧形状の光学面上で最も主走査方向の光束幅が広い値をＷ１、前記最大の像高に到達する光束が通過する該結像光学系に設けられた主走査断面内で非円弧形状の光学面のうち前記非円弧形状の光学面上で最も主走査方向の光束幅が広い値をＷ２、とするとき、
Ｗ２／Ｗ１≧１．８
を満たす構成をとっている。
また、本発明では、光源手段と、前記光源手段から出射した光束が入射する光偏向器と、前記光偏向器に入射する光束の主走査方向の幅が前記光偏向器の偏向面の主走査方向の幅より広い状態で入射させる入射光学系と、前記光偏向器で偏向された光束を被走査面上に結像させる結像光学系と、を有する光走査装置において、
前記被走査面上の最大像高に入射する光束が前記入射光学系を通過する際に発生する前記光束のマージナル光線と前記光束の主光線との主走査方向の波面収差の位相差の方向を第一方向とし、
前記被走査面上の最大像高に入射する光束が前記結像光学系を通過する際に発生する前記光束のマージナル光線と前記光束の主光線との主走査方向の波面収差の位相差の方向を第二方向とした場合、
前記第一方向と前記第二方向とが逆方向となるように、前記入射光学系に主走査断面内において少なくとも１面が非円弧形状の光学面を設けられており、
前記最大の像高に到達する光束が通過する前記入射光学系に設けられた主走査断面内で非円弧形状の光学面のうち該非円弧形状の光学面上で最も主走査方向の光束幅が広い値をＷ３、前記最大の像高に到達する光束が通過する前記結像光学系に設けられた光学面のうち前記光学面上で最も主走査方向の光束幅が広い値をＷ４、とするとき、
Ｗ３／Ｗ４≧１．８
を満たす構成をとっている。
また、本発明では、光源手段と、前記光源手段から出射した光束が入射する光偏向器と、前記光偏向器に入射する光束の主走査方向の幅が前記光偏向器の偏向面の主走査方向の幅より広い状態で入射させる入射光学系と、前記光偏向器で偏向された光束を被走査面上に結像させる結像光学系と、を有する光走査装置において、
前記被走査面上の最大像高に入射する光束が前記入射光学系を通過する際に発生する前記光束のマージナル光線と前記光束の主光線との主走査方向の波面収差の位相差の方向を第一方向とし、
前記被走査面上の最大像高に入射する光束が前記結像光学系を通過する際に発生する前記光束のマージナル光線と前記光束の主光線との主走査方向の波面収差の位相差の方向を第二方向とした場合、
前記第一方向と前記第二方向とが逆方向となるように、前記入射光学系及び前記結像光学系のうち少なくとも１つの光学系内に主走査断面内において少なくとも１面が非円弧形状の光学面を設けられており、
前記入射光学系はｍ個（ｍ≧１）の光学面を有しており、前記結像光学系はｐ個（ｐ≧１）の光学面を有しており、前記入射光学系内に設けられた光学面を前記光源手段側から順に第１面から第ｍ面とし、前記結像光学系に設けられた光学面を前記光偏向器側から順に第ｍ＋１面から第ｐ＋ｍ＋１面とする場合、
以下の条件式を満たす構成をとっている。
【数１】
2006113552.tif 000002
但し、
Ｂ／Ａ＜０
Ｕｉ：前記光学面が透過面の場合、前記光学面が入射面の場合、Ｕｉ＝−１、前記光学面が出射面の場合、Ｕｉ＝＋１となり、前記光学面が反射面の場合、Ｕｉ＝＋１となる係数
ｎｉ：前記光学面が透過面の場合、ｎｉは硝材の屈折率となり、前記光学面が反射面の場合、ｎｉ＝２となる係数
ａｉ：主走査断面において、最大像高に到達する光束の前記光学面の端部側のマージナル光線が第ｉ面を通過する位置での光学面の光軸に対する面の傾きｄＸ／ｄＹ
ｂｉ：主走査断面において、最大像高に到達する光束の主光線が第ｉ面を通過する位置での光学面の光軸に対する面の傾きｄＸ／ｄＹ
ｃｉ：主走査断面において、最大像高に到達する光束の該光学面の光軸側のマージナル光線が第ｉ面を通過する位置での光学面の光軸に対する面の傾きｄＸ／ｄＹ
ｆ：前記結像光学系の焦点距離（ｍｍ）
ρｍ：前記被走査面上での結像スポットの主走査方向のスポット径（ｍｍ）